(57)【特許請求の範囲】
【請求項１】
防水ケースに装填するときの挿入方向に対し垂直方向の面に凹部または凸部を有している携帯機器用の上記防水ケースであって、
携帯機器の上記凹部または凸部との操作連携を図るために、携帯機器を防水ケースに挿入後、挿入方向に対し垂直方向に移動させる移動手段および移動させた位置で携帯機器を保持する保持手段を有し、
上記移動手段は、防水ケース底面に設けられた貫通孔から押し上げ部材により携帯機器を押し上げるように構成され、
上記保持手段は、貫通孔と上記押し上げ部材との嵌合力により、携帯機器を押し上げ位置に保持するように構成され、
上記押し上げ部材は、上記防水ケース内の防水を図る防水栓を兼ねていることを特徴とする携帯機器用防水ケース。
【請求項２】
請求項１記載の携帯機器用防水ケースにおいて、押し上げ部材は、防水ケース底面に設けられた支軸を支点として回転可能に設けられ、かつ、押し上げ完了位置で防水ケース底面に設けられた固定手段により固定されるものであることを特徴とする携帯機器用防水ケース。
【請求項３】
請求項１記載の携帯機器用防水ケースにおいて、移動手段は押し上げ部材によって構成され、この押し上げ部材は防水ケース底面に設けられた貫通孔に嵌められることにより携帯機器を押し上げ完了位置まで移動させることができ、防水ケース底面には上記貫通孔に嵌められた押し上げ部材を防水ケース底面に固定する固定手段が設けられていることを特徴とする携帯機器用防水ケース。
【請求項４】
請求項１記載の携帯機器用防水ケースにおいて、移動手段は押し上げ部材によって構成され、押し上げ部材は防水ケース底面の貫通孔に摺動自在にかつ抜け止めされて設けられるとともに防水ケースから抜け方向に付勢されており、携帯機器の移動は押し上げ部材を押すことによってなされ、押し上げ部材を固定して携帯機器を保持する固定手段が防水ケース底面に設けられていることを特徴とする携帯機器用防水ケース。
【請求項５】
請求項２〜４のいずれかに記載の携帯機器用防水ケースにおいて、携帯機器はカメラであり、押し上げ部材は三脚座を有していることを特徴とする携帯機器用防水ケース。
【請求項６】
請求項１〜５のいずれかに記載の携帯機器用防水ケースにおいて、押し上げ部材は弾性体で形成されていることを特徴とする携帯機器用防水ケース。
【請求項７】
請求項１〜６のいずれかに記載の携帯機器用防水ケースにおいて、携帯機器用防水ケース内面コーナーの少なくとも一つの天井付近に、携帯機器が挿入方向に対し垂直方向に移動させられたとき、押し上げ完了位置で位置決めされる位置決めガイドが形成されていることを特徴とする携帯機器用防水ケース。
【請求項８】
請求項１〜７のいずれかに記載の携帯機器用防水ケースにおいて、挿入方向に対し垂直方向に凹部または凸部をなしている携帯機器の構成部分は、ペン入力または指タッチ入力により入力操作可能な液晶モニターを含むことを特徴とする携帯機器用防水ケース。
【請求項９】
請求項１〜７のいずれかに記載の携帯機器用防水ケースにおいて、挿入方向に対し垂直方向に凹部または凸部をなしている携帯機器の構成部分は、ズーム操作レバーを含むことを特徴とする携帯機器用防水ケース。
【請求項１０】
携帯機器を装填する携帯機器用防水ケースであって、
前記防水ケースが、貫通孔とこの貫通孔に嵌合可能な防水栓を備え、
前記防水栓は、前記貫通孔に嵌合することにより前記防水ケースに挿入される前記携帯機器を挿入方向に対し垂直方向に移動させて保持することを特徴とする携帯機器用防水ケース。
【請求項１１】
前記防水栓が前記貫通孔に嵌合し前記防水ケースに挿入される前記携帯機器を挿入方向に対し垂直方向に移動させて保持することにより前記携帯機器の操作部と前記防水ケースの操作部とを連携させることを特徴とする請求項１１記載の携帯機器用防水ケース。
【請求項１２】
前記携帯機器は、前記挿入方向に対し垂直方向に凹部または凸部を有していることを特徴とする請求項１１または１２記載の携帯機器用防水ケース。
【発明の詳細な説明】
【０００１】
【発明の属する技術分野】
本発明はペン入力または指タッチ入力による入力操作可能な液晶モニター（以下「ＬＣＤ」という）を有した携帯機器、例えば、デジタルスチルカメラ、ビデオカメラ、携帯電話、情報端末機器（ＰＤＡ）などに用いることができる防水ケースに関し、より好適な実施例分野としては、高さ方向に偏平なデジタルスチルカメラなどに用いる防水ケースが考えられる。
【０００２】
【従来の技術】
ペン入力操作可能なＬＣＤを有する携帯機器、または指タッチ入力操作可能なＬＣＤを有する携帯機器を、防水ケースに入れて使用する場合において、防水ケースの上からペン入力などを行おうとすると、一般的にＬＣＤ部分が凹んでいるので、ＬＣＤ部分と防水ケース部分を密着させるためには、この凹んでいる方向に蓋を被せる形態の防水ケースとならざるを得なかった。
【０００３】
図１２は従来の防水ケースの一例を示すもので、防水ケース５０の裏蓋６０全体をヒンジによって開閉可能とし、裏蓋６０を開いた状態で防水ケース５０の後ろ側からカメラその他の携帯機器を挿入し、裏蓋６０を閉じて防水ケース５０全体を密閉するようになっている。上記携帯機器の挿入方向は、ＬＣＤなどの窪み面や、各種装置スイッチなどの突出部材配置面に対し直交する方向であり、これによって、携帯機器のＬＣＤなどの配置面と防水ケース５０の前面とが密接しまたは近接するようになっている。このように、従来の防水ケースは、ＬＣＤ、操作スイッチなどが配置されることによって凹凸を有している操作面を防水ケース５０の前面に密接または近接させるために、上記凹凸形成面に対し直交する方向に携帯機器を挿入するようになっており、また、蓋６０を被せることによって携帯機器を上記凹凸形成面に対し直交する方向にさらに押し込むようになっている。そのため、蓋６０による開閉面積が大きくなっている。
【０００４】
【発明が解決しようとする課題】
上記従来の防水ケースのように、ＬＣＤの窪みや突出部材配置面に対し直交する方向の蓋方式では、
１）  蓋全体が携帯機器の広い面を覆うので大きくなり、蓋または防水ケース本体に防水用として周回されるＯリングの周長も長くなり、防水性を保証するのが難しくなる。
２）  蓋の面積が大きくなるので、水圧などで蓋の変形が起こりやすく、水漏れの原因となりやすい。
３）  通常、ＬＣＤ面と同方向に開閉される電池蓋やカード蓋は、一旦カメラを防水ケースから取り出してからでないと開閉できない。
という問題を有している。
【０００５】
本発明は以上のような従来技術の問題点を解消するためになされたもので、挿入口を覆う蓋を長手方向に設置できるようにして蓋の大きさを小さくすることを可能にし、もって、周回されるＯリングの周長を短くすることを可能にし、防水性を高めることができる携帯機器用防水ケースを提供することを目的とする。
【０００６】
本発明はまた、水圧などによる蓋の変形が起こりにくく、水漏れの原因をできるだけ排除して防水の信頼性を高めた携帯機器用防水ケースを提供すること、さらに、電池蓋、カード蓋などの開閉操作が簡単な携帯機器用防水ケースを提供することを目的とする。
その他の本発明の目的および効果は、後で説明する発明の実施の形態を参照することによって明らかになるであろう。
【０００７】
【課題を解決するための手段】
本発明は、防水ケースに装填するときの挿入方向に対し垂直方向の面に凹部または凸部を有している携帯機器用の上記防水ケースであって、携帯機器の上記凹部または凸部との操作連携を図るために、携帯機器を防水ケースに挿入後、挿入方向に対し垂直方向に移動させる移動手段および移動させた位置で携帯機器を保持する保持手段を有し、上記移動手段は、防水ケース底面に設けられた貫通孔から押し上げ部材により携帯機器を押し上げるように構成され、上記保持手段は、貫通孔と上記押し上げ部材との嵌合力により、携帯機器を押し上げ位置に保持するように構成され、上記押し上げ部材は、上記防水ケース内の防水を図る防水栓を兼ねていることを特徴とする。
【０００９】
上記発明において、押し上げ部材は、防水ケース底面に設けられた支軸を支点として回転可能に設けられ、かつ、押し上げ完了位置で防水ケース底面に設けられた固定手段により固定されるものであってもよい。
移動手段は押し上げ部材によって構成され、この押し上げ部材は防水ケース底面に設けられた貫通孔に嵌められることにより携帯機器を押し上げ完了位置まで移動させることができ、防水ケース底面には上記貫通孔に嵌められた押し上げ部材を防水ケース底面に固定する固定手段が設けられていてもよい。
移動手段は押し上げ部材によって構成され、押し上げ部材は防水ケース底面の貫通孔に摺動自在にかつ抜け止めされて設けられるとともに防水ケースから抜け方向に付勢されており、携帯機器の移動は押し上げ部材を押すことによってなされ、押し上げ部材を固定して携帯機器を保持する固定手段が防水ケース底面に設けられていてもよい。
携帯機器はカメラであり、押し上げ部材は三脚座を有していてもよい。
押し上げ部材は弾性体で形成されていてもよい。
【００１１】
上記発明において、防水ケースに挿入されている携帯機器の少なくとも一部を挿入方向に対し垂直方向に移動させる突起を有し、上記突起は、蓋に一体形成され、または蓋に取り付けられた防水ゴムで構成するとよい。
携帯機器用防水ケース内面コーナーの少なくとも一つの天井付近に、携帯機器が挿入方向に対し垂直方向に移動させられたとき、押し上げ完了位置で位置決めされる位置決めガイドを形成するとよい。
挿入方向に対し垂直方向に凹部または凸部をなしている携帯機器の構成部分は、ペン入力または指タッチ入力により入力操作可能な液晶モニターを含んでいてもよい。
挿入方向に対し垂直方向に凹部または凸部をなしている携帯機器の構成部分は、ズーム操作レバーを含んでいてもよい。
【００１７】
【発明の実施の形態】
以下、図面を参照しながら本発明にかかる携帯機器用防水ケースの実施の形態について説明する。
図１は本発明の一実施形態を示す防水ケースの長手方向断面図、以下、図２は防水ケース単体の斜視図、図３はデジタルスチルカメラ単体の斜視図、図４は防水ケース底面の押し上げ部材の嵌合状態を表す断面図、図５は二つの押し上げ部材を有する別の実施形態を示す断面図、図６は同じく二つの押し上げ部材を有するさらに別の実施形態を示す断面図、図７は押し上げ部材に三脚座を設けた例を示す断面図、図８は挿入口を封止する蓋が携帯機器の一部を押し上げ始める状態を示す断面図、図９は挿入口を封止し携帯機器の一部が移動させられた状態を示す断面図、図１０はさらに二つの押し上げ部材で携帯機器の全体が押し上げられた状態を示す断面図である。図１１は携帯機器が挿入方向に対し垂直方向に移動させられたとき、押し上げ完了位置で位置決めされるような位置決めガイドを示す断面図である。図１２は従来例の縦持ちカメラ用防水ケースの例を示す斜視図である。
【００１８】
図１、図２において、符号１は防水ケース、２はその蓋、３は携帯機器のＬＣＤに対応する凹部、４は連携操作レバー、５は装填した携帯機器を挿入方向に対し垂直方向に移動させる移動手段、６はその回転中心軸、７は防水ケース１の底部の縁部に設けられた突堤、８は蓋と防水ケース１との間の防水用Ｏリング、９は携帯機器、１０は携帯機器の操作スイッチの一つでスライド式の例えば電源スイッチ、１１は携帯機器のＬＣＤ、１２はもう一つの連携操作レバー、をそれぞれ示している。
【００１９】
防水ケース１は断面長方形で縦長の扁平な筒型をしており、その内部に携帯機器９を挿入することができるようになっている。図３に示すように、携帯機器９は断面長方形で縦長の扁平な四角柱状をしており、上面側にＬＣＤ１１を有し、また、スライドスイッチ１０と押しボタンスイッチ１４を有している。上記蓋２は、防水ケース１の一端において軸２ａを中心に回転可能に設けられることによって防水ケース１の一端を開閉可能となっている。そして、蓋２で防水ケース１をふさいだ状態で、蓋２の自由端側に形成されているフック２ｂにロック部材１３が掛けられることにより、蓋２が開かないようにロックされるようになっている。さらに、蓋２と防水ケース１との間にＯリング８が介在することにより、防水ケース１内が密閉されるようになっている。Ｏリング８は、防水ケース１の解放端面を周回している。
【００２０】
携帯機器９を防水ケース１に装填した後で、挿入方向に対し垂直方向に凹をなしている携帯機器９の構成部分、具体的には携帯機器９本体外面から窪んで形成されているＬＣＤ１１の部分と、防水ケース１の凹部３との操作連携を図り、また、挿入方向に対し垂直方向に凸をなしている携帯機器の構成部材、具体的にはスライドスイッチ１０および押しボタンスイッチ１４と、防水ケース１の連携操作レバー４および１２との操作連携を図るために、携帯機器９を防水ケース１に挿入後、挿入方向に対し垂直方向に移動させる移動手段５を有している。
【００２１】
移動手段５は、防水ケース１の底面側において、底面と平行な方向の軸６を中心に回転可能に設けられていて、その自由端部寄りの位置において一面側に突起５ａを有している。この突起５ａは、防水ケース１の底面中央部に形成されている孔１ａに嵌ることが可能で、この孔１ａに嵌った状態において、防水ケース１の底板を突き抜けて、携帯機器９の底面を押し上げ、ＬＣＤ１１を凹部３に密着させるとともに、携帯機器９のスライドスイッチ１０および押しボタンスイッチ１４と、防水ケース１の連携操作レバー４および１２とを連携させるようになっている。移動手段５の上記突起５ａは、上記のように携帯機器９を移動させた位置で上記防水ケース１の底部の孔１ａにきつく嵌って防水ケース１内の防水を図る防水栓として機能するとともに、移動手段５の上記移動態様を保持する保持手段としても機能している。したがって、移動手段５全体、または、少なくとも突起５ａの部分は柔軟性のある部材、例えば、防水ゴムなどの弾性体からなるものとする。
【００２２】
このように、上記実施の形態は、移動手段５は防水ケース１の底面に設けられた貫通孔１ａから単独の押し上げ部材としての突起５ａを介し使用者の操作によって携帯機器９を押し上げるように構成されている。また、押し上げ部材としての突起５ａは、上記貫通孔１ａとの嵌合力により、携帯機器９が押し上げ位置に保持される保持部材としての機能も持っている。図１（ａ）はこのときの状態を示している。この状態では、防水ケース１の前記突堤７の高さ範囲内に移動手段５が収まり、あるいは移動手段５の底面と上記突堤７の底面とが同一面上に位置するようになっている。
【００２３】
図１（ａ）に示す状態では、押し上げ部材としての移動手段５の突起５ａは防水ケース１の底面に設けられた支軸６を支点として回転可能に設けられ、かつ、押し上げ完了位置で防水ケース１の底面に設けられた固定手段としての機能も有する上記突起５ａにより固定される。また、この状態で、連携操作レバー４および１２を操作することによって、携帯機器９のスライドスイッチ１０および押しボタンスイッチ１４を操作することができるようになっている。上記連携操作レバー４は、防水対策の都合上、図２（ｂ）に示すように防水ケース１の天井部を貫通して設けられた軸を中心に回転可能な構造になっている。この回転可能な連携操作レバー４と携帯機器９のスライドスイッチ１０とを連携させるために、上記軸の防水ケース１内面側の端部にフォーク状の部材４ａを一体に設け、このフォーク状の部材４ａが携帯機器９のスライドスイッチ１０を挟み込み、連携操作レバー４の回転運動をスライドスイッチ１０のスライド運動に変換するようになっている。この連携部分でも防水が図られていることはいうまでもない。図１（ｂ）は移動手段５の回転移動途中の形態を示している。この状態では、携帯機器９の底面が防水ケース１の内底面に接している。
【００２４】
前記防水ケース１の凹部３は透明でかつ柔軟性のある部材、例えばプラスチックで作られている。したがって、凹部３を介して携帯機器９のＬＣＤ１１を見ることができるとともに、入力用ペンあるいは指で触ることにより、凹部３を介してＬＣＤ１１にペン入力または指タッチ入力による入力操作ができるようになっている。
【００２５】
以上説明した実施の形態によれば、挿入口を覆う蓋２を縦長の防水ケース１の長手方向一端に設置できるようにして蓋２の大きさを小さくすることを可能にし、もって、周回されるＯリング８の周長を短くすることが可能になり、防水性を高めることができる。また、蓋２で開閉する防水ケース１の開閉面積が狭いことから、水圧などによる蓋２の変形が起こりにくく、水漏れの原因を排除して防水の信頼性を高めることができる。
【００２６】
次に、本発明の各種変形例について説明する。移動手段は必ずしもレバー形式のものに限られるものではない。図４に示すように、押し上げ部材５１単体のみで構成してもよい。押し上げ部材５１は、前記実施の形態における移動手段５に設けられていた突起５ａの部分のみからなるものと考えることもできる。押し上げ部材５１が防水ケース１の底板の孔にきつく嵌ることによって、押し上げ部材５１が携帯機器９を、その挿入方向に対し垂直方向に押し上げ完了位置まで押し上げる。押し上げ部材５１はまた、それ自体が上記孔に嵌ることにより固定手段としての機能ももっている。
【００２７】
図５に示す実施の形態は、図４に示す実施の形態に押し上げ部材とは別体の固定部材を設けたものである。図５（ａ）（ｂ）において、防水ケース１の底板に形成された孔には上記実施形態における押し上げ部材５１と同様の押し上げ部材５２が嵌められるようになっており、さらに、防水ケース１の底板には軸５３ａを中心に回転可能に固定部材５３が設けられている。固定部材５３は防水ケース１の底板と平行な姿勢をとることによって上記押し上げ部材５２に覆い被さり、この姿勢で固定部材５３の先端部がフック５４で係止され、押し上げ部材５２が脱落するのを防止するようになっている。この実施形態によれば、押し上げ部材５２が防水ケース１の底板の孔に嵌って携帯機器９を押し上げた状態をより確実に保持することができる。
【００２８】
図６に示す実施の形態は、移動手段は押し上げ部材２０より構成され、押し上げ部材２０は防水ケース１底面の貫通孔に摺動自在にかつ止めリング５８により抜け止めされて設けられるとともに、コイルばね５７によって防水ケース１から抜け方向に付勢されており、携帯機器９の移動は固定部材５３が上記押し上げ部材２０を押すことによってなされ、また、固定部材５３が防水ケース１底面に設けられた固定手段としてのフック５４により固定されることで携帯機器９の保持をなすようになっている。
【００２９】
図７に示す実施の形態は、図５に示す実施の形態における固定部材に三脚座を設けたものである。図７において、防水ケース１の底板に形成された孔に嵌る押し上げ部材５５には外側に向かって片開放孔が形成されていて、この片開放孔には、固定部材５６に一体に形成された突起が嵌るようになっている。この突起の部分は三脚座になっていて、三脚のねじが嵌められるねじ孔が形成されている。固定部材５６は防水ケース１の底板に軸５６aを中心に回転可能に取り付けられている。上記のように防水ケース１の底板に形成された孔に押し上げ部材５５が嵌り、押し上げ部材５５の片開放孔に固定部材５６の突起が嵌ることにより押し上げ部材５５を固定するようになっている。この実施の形態を適用するのに適している携帯機器はデジタルカメラ、ビデオカメラなどの各種カメラであって、上記三脚座を三脚のねじにねじ込むことにより、セルフタイマ撮影、その他各種の撮影を行うことができるようになっている。
【００３０】
以上説明した実施の形態では、携帯機器９を防水ケース１に装填するときに、挿入方向に対し垂直方向に凹または凸部をなしている携帯機器９の構成部分と防水ケース１に装填後の操作連携を図るために、携帯機器９が防水ケース１に挿入され、挿入口を封止する蓋２を閉じることで挿入方向の位置規制をなされた後に、挿入方向に対し垂直方向に移動させ得る移動手段、例えば図１に示す実施の形態では突起５ａ、図５に示す実施の形態では押し上げ部材５２など、および移動させた位置で保持する保持手段、例えば図５、図６に示す実施の形態では固定部材５３、フック５４を有することことを特徴とするものである。これらの移動手段及び保持手段とは別に、または、これらの移動手段及び保持手段とともに、前記蓋２を閉めたとき携帯機器を移動させ、かつ移動位置を保持させるようにしてもよい。図８ないし図１０に示す実施の形態がそれである。
【００３１】
図８ないし図１０において、蓋２の自由端寄りの位置には楔状の突起２ａが形成されている。突起２ａは、蓋２で防水ケース１の開口を閉じようとするとき、図８、図９に示すように、携帯機器９と防水ケース１の内底面との間に、両者を互いに引き離すようにして潜り込むことができるように、その位置及び形状が考慮されている。図９は、蓋２が閉じられた状態を示しており、携帯機器９は、蓋２側が持ち上げられて防水ケース１内で斜めの姿勢になっている。この状態において、前述の各種移動手段、さらには保持手段を機能させれば、図１０に示すように携帯機器９は全体が押し上げられて、防水ケース１内で所定の姿勢をとり、防水ケース１の外側から所定の連携を取ることができる。
【００３２】
上記突起２ａは、蓋２と一体成形したものであってもよいし、蓋２とは別の部材として用意しておき、これを蓋２に固着してものであってもよい。また、突起２ａは、蓋２と一体成形するか別体とするかにかかわらず、防水ゴムで形成するとよい。
【００３３】
防水ケース１内において携帯機器９が押し上げ部材で押し上げられたとき、押し上げ完了位置で位置決めされるような位置決めガイドを形成しておくとよい。図１１はその例を示す。図１１（ａ）は図２（ａ）に示すＡ−Ａ線に沿う防水ケース１のコーナー部の断面図、図１１（ｂ）は図２（ａ）に示すＢ−Ｂ線に沿う防水ケース１のコーナー部の断面図である。図１１（ａ）、図１１（ｂ）に示すように、携帯機器用防水ケース１内面コーナーの少なくとも１つの天井付近には、携帯機器９が挿入方向に対し垂直方向に移動させられたとき、押し上げ完了位置で位置決めされるように、防水ケース１の内壁面を、天井面に近づくに従って内方に迫り出す方向の傾斜面からなる位置決めガイド１６が形成されている。防水ケース１内において携帯機器９が押し上げられると、携帯機器９の上端縁が上記位置決めガイド１６にガイドされつつ位置決めされ、押し上げ完了位置では、携帯機器９が防水ケース１内で所定位置に位置決めされる。
【００３４】
本発明にかかる防水ケースは、各種カメラ、携帯情報端末（ＰＤＡ）、携帯型ゲーム機、携帯電話などに用いることができる。カメラに適用する場合、挿入方向に凹または凸部をなしている携帯機器の構成部分に、シャッタレリーズボタンなどのほかに、ズーム操作レバーを含ませてもよい。
【００３５】
【発明の効果】
請求項１記載の発明によれば、挿入口を覆う蓋を長手方向の一端に設置出来るので、蓋の大きさが小さくて済み、周回されるＯリングの周長が短くなるので防水性を保証しやすい。また、蓋の面積も小さくなるので、変形が起きにくく水漏れの心配がない。さらに、電池蓋、カード蓋の開閉方向を挿入方向と同じにすれば、それらの開閉作業のために、形態機器を一旦防水ケースから取り出す必要がなくなる。
押し上げ部材を介して使用者が携帯機器を押し上げ、また貫通孔と押上部材との嵌合力により、携帯機器が押し上げ位置に保持されるので、簡単、確実に操作することができる。
押し上げ部材は防水栓を兼ねているので、わざわざＯリングなどを付加する必要がなく、省スペース、省コストに役立つ。
【００３６】
請求項２記載の発明によれば、押し上げ部材と貫通孔との位置合わせをしなくても確実に嵌合がなされ、また押し上げ部材を紛失することを回避することができる。
請求項３記載の発明によれば、押し上げ部材を固定手段がバックアップするので、携帯機器を防水ケース内で確実に保持することができる。
【００３７】
請求項４記載の発明によれば、押し上げ部材を紛失することがなく、また携帯機器を取り出す場合に押し上げ部材に引っ掛かることを防ぐことができる。
請求項５記載の発明によれば、携帯機器がカメラの場合、防水カメラ底面に三脚座を設置することによって、リモコン撮影、手ぶれ防止撮影時などに有効利用することができる。
請求項６記載の発明によれば、押し上げ部材は弾性体で形成されているので、保持状態での振動、落下などに対し緩衝材の役目を果たす。
【００３９】
請求項７記載の発明によれば、携帯機器用防水ケース内面コーナーの少なくとも１つの天井付近には、携帯機器が挿入方向と垂直に移動させられたとき、押し上げ完了位置で位置決めされるような位置決めガイドが形成されているので、携帯機器を保持位置で確実に位置決めすることができる。
【００４０】
請求項８記載の発明によれば、携帯機器がペン入力または指タッチ入力による入力操作可能なＬＣＤを有している場合は、ＬＣＤ部の凹部に防水ケース面を密着させることができ、防水ケースの上からも防水仕様で確実にペン入力などを行うことが可能となる。
請求項９記載の発明によれば、携帯機器が挿入方向に垂直に凹または凸となるズーム操作レバーを有していても、防水ケース外側からの操作部材との連携を確実に行うことができる。
【図面の簡単な説明】
【図１】本発明にかかる携帯機起用防水ケースの実施形態を示すもので、（ａ）は携帯機器装填後の状態を示す断面図、（ｂ）は携帯機器装填途中の状態を示す断面図である。
【図２】上記実施形態を示すもので、（ａ）は携帯機器装填前の状態を示す斜視図、（ｂ）は連携操作部分を示す斜視図である。
【図３】本発明にかかる防水ケースに装填することができる携帯機器の例を示す斜視図である。
【図４】本発明に適用可能な移動手段及び保持手段の例を示す断面図である。
【図５】本発明に適用可能な移動手段及び保持手段の別の例を示すもので、（ａ）は断面図、（ｂ）は底面図である。
【図６】本発明に適用可能な移動手段及び保持手段のさらに別の例を示す断面図である。
【図７】本発明に適用可能な移動手段及び保持手段のさらに別の例を示す断面図である。
【図８】本発明に適用可能な移動手段を蓋に設けた例を示す断面図である。
【図９】上記蓋に設けた移動手段の動作態様の例を示す断面図である。
【図１０】上記蓋に設けた移動手段と別の移動手段が機能したときの動作態様の例を示す断面図である。
【図１１】本発明に適用可能な位置決めガイドの例を示すもので、（ａ）は図２（ａ）に示すＡ−Ａ線に沿う断面図、（ｂ）は図２（ａ）に示すＢ−Ｂ線に沿う断面図である。
【図１２】従来の携帯機器用防水ケースの例を示す斜視図である。
【符号の説明】
１  携帯機器用防水ケース
２  蓋
３  携帯機器の凹部
４  連携操作レバー
５  移動手段
５ａ  移動手段としての押し上げ部材
８  Ｏリング
９  携帯機器
１０  携帯機器の操作スイッチ
１４  携帯機器の操作スイッチ
５１  押し上げ部材
５２  押し上げ部材
５３  固定部材
【図１】
0004107810.tif 000002
【図２】
0004107810.tif 000003
【図３】
0004107810.tif 000004
【図４】
0004107810.tif 000005
【図５】
0004107810.tif 000006
【図６】
0004107810.tif 000007
【図７】
0004107810.tif 000008
【図８】
0004107810.tif 000009
【図９】
0004107810.tif 000010
【図１０】
0004107810.tif 000011
【図１１】
0004107810.tif 000012
【図１２】
0004107810.tif 000013